(57)【要約】【課題】  情報処理装置から取得した画像を表示制御装置側で画面の指定された領域に表示する場合に、取得した画像の解像度によっては、例えば、表示される画像が指定された領域からはみ出したり、見切れたりする等して、適切に表示制御できなくなる。このため、表示画像の視認性が低下する。【解決手段】  端末１０の操作入力受付部１２は、画面に画像を表示するときの画像の表示領域の指定を受け付ける。端末１０の外部情報送受信部１８は、指定された表示領域のサイズに対応する解像度を示す解像度情報を外部入力装置４０へ送信する。端末１０の外部情報送受信部１８は、外部入力装置４０において生成され、解像度情報によって示される解像度の表示画像の表示データを取得する。端末１０の表示制御部１６は、取得された表示データに基づいて、指定された表示領域に画像を表示する制御を行う。【選択図】図２
2018156089.tif 000002
【特許請求の範囲】
【請求項１】
画面に画像を表示するときの前記画像の表示領域の指定を受け付ける受付手段と、
指定された表示領域のサイズに対応する解像度を示す解像度情報を情報処理装置へ送信する送信手段と、
前記情報処理装置において生成され、前記解像度情報によって示される解像度の画像データを取得する取得手段と、
前記取得手段によって取得された前記画像データに基づいて、指定された前記表示領域に前記画像を表示する制御を行う表示制御手段と、
を有することを特徴とする表示制御装置。
【請求項２】
前記情報処理装置において、前記解像度情報によって示される解像度の画像データを生成する処理を実行させるプログラムを、前記情報処理装置がインストール可能に管理する管理手段を有することを特徴とする請求項１に記載の表示制御装置。
【請求項３】
前記画像データは、前記情報処理装置において表示制御される表示画像の画像データであり、
前記情報処理装置から送られてくる前記表示画像のアスペクト比を示す情報に基づいて、前記受付手段は、前記表示画像のアスペクト比と同じアスペクト比の前記表示領域の指定を受け付けることを特徴とする請求項１又は２に記載の表示制御装置。
【請求項４】
画面に画像を表示するときの前記画像の表示領域の指定を受け付ける受付手段と、
指定された表示領域のサイズに対応する解像度を示す解像度情報を情報処理装置へ送信する送信手段と、
前記情報処理装置において生成され、前記解像度情報によって示される解像度の画像データを取得する取得手段と、
前記取得手段によって取得された前記画像データに基づいて、指定された前記表示領域に前記画像を表示する制御を行う表示制御手段と、を有しており、
前記解像度情報によって示される解像度の画像データを、通信ネットワークを介して他の通信端末へ送信する
ことを特徴とする通信端末。
【請求項５】
請求項４に記載の通信端末と、
前記他の通信端末と、
を有することを特徴とする通信システム。
【請求項６】
前記通信端末、及び前記他の通信端末の間で、前記画像データ及び、前記通信端末において撮像される画像に係る他の画像データを送信可能であることを特徴とする請求項５に記載の通信システム。
【請求項７】
請求項４に記載の通信端末と、
前記情報処理装置と、
を有することを特徴とする通信システム。
【請求項８】
前記通信端末は、前記情報処理装置において、前記解像度情報によって示される解像度の画像データを生成する処理を実行させるプログラムを、前記情報処理装置にインストール可能に管理しており、
前記情報処理装置は、当該情報処理装置に前記プログラムがインストールされているか判断する判断部と、
前記判断部による前記プログラムがインストールされていない旨の判断に応じて、前記通信端末へ前記プログラムを要求する要求手段と、を有する
ことを特徴とする請求項７に記載の通信システム。
【請求項９】
表示制御装置が、
画面に画像を表示するときの前記画像の表示領域の指定を受け付ける受付処理と、
指定された表示領域のサイズに対応する解像度を示す解像度情報を情報処理装置へ送信する送信処理と、
前記情報処理装置において生成され、前記解像度情報によって示される解像度の画像データを取得する取得処理と、
前記取得処理によって取得された前記画像データに基づいて、指定された前記表示領域に前記画像を表示する制御を行う表示制御処理と、
を実行することを特徴とする表示制御方法。
【請求項１０】
表示制御装置に、
画面に画像を表示するときの前記画像の表示領域の指定を受け付ける受付処理と、
指定された表示領域のサイズに対応する解像度を示す解像度情報を情報処理装置へ送信する送信処理と、
前記情報処理装置において生成され、前記解像度情報によって示される解像度の画像データを取得する取得処理と、
前記取得処理によって取得された前記画像データに基づいて、指定された前記表示領域に前記画像を表示する制御を行う表示制御処理と、
を実行させることを特徴とするプログラム。
【発明の詳細な説明】
【技術分野】
【０００１】
本発明は、表示制御装置、通信端末、通信システム、表示制御方法、及びプログラムに関する。
【背景技術】
【０００２】
近年、当事者の移動の経費や時間を削減する要請に伴い、インターネット等の通信ネットワークを介してテレビ会議などを行う通信システムが普及している。このような通信システムでは、通信端末間の通信が確立すると二以上の通信端末の間で画像データ及び音データの送受信が行われる。また、テレビ会議用の通信システムでは、テレビ会議端末において撮像された撮像画像の画像データと、テレビ会議端末へ入力された会議資料などの画像データと、を、通信端末間で送信することもできる。
【０００３】
特許文献１には、相手側の伝送端末から送信された画像データ及び表示データを伝送端末が受信すると、画像データ及び表示データによって表される各画像をディスプレイに表示させることが開示されている。特許文献１の画面表示の例では、画面左部には、外部入力装置から入力された表示画像が表示され、画面右上部には、相手側の伝送端末から送られてきた撮像画像が表示されている。
【発明の概要】
【発明が解決しようとする課題】
【０００４】
しかしながら、情報処理装置から取得した画像を表示制御装置側で画面の指定された領域に表示する場合に、取得した画像の解像度によっては、例えば、表示される画像が指定された領域からはみ出したり、見切れたりする等して、適切に表示制御できなくなる。このため、表示画像の視認性が低下するという課題が生じる。
【課題を解決するための手段】
【０００５】
請求項１に係る発明の表示制御装置は画面に画像を表示するときの前記画像の表示領域の指定を受け付ける受付手段と、指定された表示領域のサイズに対応する解像度を示す解像度情報を情報処理装置へ送信する送信手段と、前記情報処理装置において生成され、前記解像度情報によって示される解像度の画像データを取得する取得手段と、前記取得手段によって取得された前記画像データに基づいて、指定された前記表示領域に前記画像を表示する制御を行う表示制御手段と、を有することを特徴とする。
【発明の効果】
【０００６】
以上説明したように本発明によれば、情報処理装置から取得した画像を表示制御装置において表示する場合に、画像の視認性の低下を防ぐことができるという効果を奏する。
【図面の簡単な説明】
【０００７】
【図１】本発明の一実施形態に係る通信システムの概略図である。
【図２】端末間で通信を実現する場合の通信状況を示した概念図である。
【図３】実施形態に係る端末の外観図である。
【図４】実施形態に係る端末のハードウェア構成図である。
【図５】実施形態に係る外部入力装置、管理システム、又は中継装置のハードウェア構成図である。
【図６】実施形態の通信システムの一部を構成する端末、外部入力装置、及び管理システムの機能ブロック図である。
【図７】レイアウト管理テーブルを示す概念図である。
【図８】認証管理テーブルを示す概念図である。
【図９】端末間で通信を開始する処理を示すシーケンス図である。
【図１０】外部入力装置においてプログラムをインストールする処理を示したシーケンス図である。
【図１１】表示データの解像度を変換する処理を示したシーケンス図である。
【図１２】解像度変換処理を示すフロー図である。
【図１３】表示領域を変更する処理を示したシーケンス図である。
【発明を実施するための形態】
【０００８】
以下、図面を用いて、本発明の実施形態について説明する。
【０００９】
＜＜実施形態の全体構成＞＞
図１は、本発明の一実施形態に係る通信システムの概略図である。図１に示されているように、通信システム１は、複数の通信端末（１０ａａ，１０ａｂ，…）、中継装置３０、通信管理システム５０によって構築されている。この通信システム１によって、コンテンツデータの一例としての画像データ及び音データの通信が行われることで、遠隔地間のテレビ会議等を実現することができる。画像データには、通信端末（１０ａａ，１０ａｂ，…）において撮像された撮像画像の画像データや、通信端末（１０ａａ，１０ａｂ，…）へ入力された入力画像の画像データ等が含まれる。
【００１０】
また、通信端末（１０ａａ，１０ａｂ，・・・）、中継装置３０、及び管理システム５０は、通信ネットワーク２によって通信可能に接続されている。
【００１１】
なお、以下では、「通信端末」は単に「端末」として表され、「通信管理システム」は単に「管理システム」として表されている。また、複数の端末（１０ａａ，１０ａｂ，…）のうち任意の端末は、「端末１０」と表されている。
【００１２】
また、本実施形態では、インターネットによって、通信ネットワーク２が構築されている。この通信ネットワーク２には、有線だけでなく、ＷｉＦｉ（Wireless Fidelity）やＢｌｕｅｔｏｏｔｈ（登録商標）等の無線による通信が行われる箇所があってもよい。
【００１３】
なお、各端末１０は、複数の事業所間での通信や、同じ事業所内の異なる部屋間での通信だけでなく、同じ部屋内での通信や、屋外と屋内又は屋外と屋外での通信で使われてもよい。各端末１０が屋外で使われる場合には、携帯電話通信網等の無線による通信が行われる。
【００１４】
また、図１に示されている各端末１０は、コンテンツデータの送受信により、利用者の通話を実現する端末であり、例えば、テレビ会議端末である。更に、端末１０は、所定の通信方式（通信の宛先と接続又は切断をするための呼制御方式、及びコンテンツデータをＩＰパケット化するための符号化方式）を利用して、コンテンツデータの送受信を行う。
【００１５】
なお、この呼制御方式としては、(1)SIP(Session Initiation Protocol)、(2)H.323、(3)SIPを拡張したプロトコル、(4)インスタントメッセンジャーのプロトコル、(5)SIPのMESSAGEメソッドを利用したプロトコル、(6)インターネットリレーチャットのプロトコル(IRC(Internet Relay Chat))、(7)インスタントメッセンジャーのプロトコルを拡張したプロトコル等が挙げられる。このうち、(4)インスタントメッセンジャーのプロトコルは、例えば、(4-1)XMPP(Extensible Messaging and Presence Protocol)、又は(4-2)ICQ（登録商標）、AIM（登録商標）、若しくはSkype（登録商標）などで利用されるプロトコルである。また、(7)インスタントメッセンジャーのプロトコルを拡張したプロトコルは、例えば、Jingleである。
【００１６】
また、各中継装置３０は、複数の端末１０の間で、コンテンツデータの中継を行うコンピュータシステムである。管理システム５０は、端末１０からのログイン認証、端末１０の通信状況の管理、宛先リストの管理等、及び中継装置３０の通信状況等を一元的に管理するコンピュータシステムである。なお、画像データの画像は、動画であっても静止画であってもよく、動画と静止画の両方であってもよい。
【００１７】
図２は、通信端末間の通信状況を示す概念図である。図２に示されているように、通信システム１において、端末１０間では、管理システム５０を介して、各種の管理情報を送受信するための管理用の通信セッションseiが確立されている。
【００１８】
また、各端末１０と中継装置３０の間では、例えば、H.264/SVCにより、画像データ、及び音データの各コンテンツデータを送受信するための、コンテンツデータ用の通信セッションsedが確立されている。
【００１９】
図２において一方の端末１０には、端末１０へ画像データを入力するための外部入力装置４０が接続されている。これにより、一方の端末１０は、自端末において撮像された撮像画像、及び外部入力装置から入力された入力画像の画像データを他方の端末１０へ送信することができる。
【００２０】
＜＜実施形態のハードウェア構成＞＞
次に、本実施形態のハードウェア構成を説明する。図３は、実施形態に係る通信端末の外観図である。図３に示されているように、端末１０は、筐体１１００、アーム１２００、及びカメラハウジング１３００を備えている。このうち、筐体１１００の前側壁面１１１０には、複数の吸気孔によって形成された吸気面が設けられており、筐体１１００の後側壁面１１２０には、複数の排気孔が形成された排気面１１２１が設けられている。これにより、筐体１１００に内蔵された冷却ファンの駆動によって、吸気面を介して端末１０の後方の外気を取り込み、排気面１１２１を介して端末１０の後方へ排気することができる。筐体１１００の右側壁面１１３０には、収音用孔１１３１が形成され、後述する内蔵型のマイク１１４によって音声、物音、雑音等の音が収音可能となっている。
【００２１】
筐体１１００の右側壁面１１３０側には、操作パネル１１５０が形成されている。この操作パネル１１５０には、後述の複数の操作ボタン（１０８ａ〜１０８ｅ）、後述の電源スイッチ１０９、及び後述のアラームランプ１１９が設けられていると共に、後述の内蔵型のスピーカ１１５からの出力音を通すための複数の音出力孔によって形成された音出面１１５１が形成されている。また、筐体１１００の左側壁面１１４０側には、アーム１２００及びカメラハウジング１３００を収容するための凹部としての収容部１１６０が形成されている。筐体１１００の右側壁面１１３０には、後述のディスプレイＩ／Ｆ１１７に対して電気的にケーブルを接続するための複数の接続口（１１３２ａ〜１１３２ｃ）が設けられている。一方、筐体１１００の左側壁面１１４０には、後述の外部機器接続Ｉ／Ｆ１１８に対して電気的にディスプレイ１２０用のケーブル１２０ｃを接続するための接続口が設けられている。
【００２２】
なお、以下では、操作ボタン（１０８ａ〜１０８ｅ）のうち任意の操作ボタンを示す場合には「操作ボタン１０８」を用い、接続口（１１３２ａ〜１１３２ｃ）のうち任意の接続口を示す場合には「接続口１１３２」を用いて説明する。
【００２３】
次に、アーム１２００は、トルクヒンジ１２１０を介して筐体１１００に取り付けられており、アーム１２００が筐体１１００に対して、１３５度のチルト角θ１の範囲で、上下方向に回転可能に構成されている。図３は、チルト角θ１が９０度の状態を示している。カメラハウジング１３００には、後述の内蔵型のカメラ１１２が設けられており、利用者、書類、及び部屋等を撮像することができる。また、カメラハウジング１３００には、トルクヒンジ１３１０が形成されている。カメラハウジング１３００は、トルクヒンジ１３１０を介して、アーム１２００に取り付けられている。そして、カメラハウジング１３００がアーム１２００に対して、図３で示されている状態を０度として±１８０度のパン角θ２の範囲で、且つ、±４５度のチルト角θ３の範囲で、上下左右方向に回転可能に構成されている。
【００２４】
なお、中継装置３０、外部入力装置４０、及び管理システム５０は、それぞれ一般のコンピュータの外観と同じであるため、外観の説明を省略する。
【００２５】
図４は、本実施形態に係る端末のハードウェア構成図である。図４に示されているように、本実施形態の端末１０は、端末１０全体の動作を制御するＣＰＵ(Central Processing Unit)１０１、ＩＰＬ(Initial Program Loader)等のＣＰＵ１０１の駆動に用いられるプログラムを記憶したＲＯＭ(Read Only Memory)１０２、ＣＰＵ１０１のワークエリアとして使用されるＲＡＭ(Random Access Memory)１０３、端末１０用のプログラム、画像データ、及び音データ等の各種データを記憶するフラッシュメモリ１０４、ＣＰＵ１０１の制御にしたがってフラッシュメモリ１０４に対する各種データの読み出し又は書き込みを制御するＳＳＤ（Solid State Drive）１０５、フラッシュメモリ等の記録メディア１０６に対するデータの読み出し又は書き込み（記憶）を制御するメディアドライブ１０７、端末１０の宛先を選択する場合などに操作される操作ボタン１０８、端末１０の電源のＯＮ／ＯＦＦを切り換えるための電源スイッチ１０９、通信ネットワーク２を利用してデータ伝送をするためのネットワークＩ／Ｆ(Interface)１１１を備えている。
【００２６】
また、端末１０は、ＣＰＵ１０１の制御に従って被写体を撮像して画像データを得る内蔵型のカメラ１１２、このカメラ１１２の駆動を制御する撮像素子Ｉ／Ｆ１１３、音を入力する内蔵型のマイク１１４、音を出力する内蔵型のスピーカ１１５、ＣＰＵ１０１の制御に従ってマイク１１４及びスピーカ１１５との間で音信号の入出力を処理する音入出力Ｉ／Ｆ１１６、ＣＰＵ１０１の制御に従って外付けのディスプレイ１２０に画像データを伝送するディスプレイＩ／Ｆ１１７、各種の外部機器を接続するための外部機器接続Ｉ／Ｆ１１８、端末１０の各種機能の異常を知らせるアラームランプ１１９、及び上記各構成要素を図４に示されているように電気的に接続するためのアドレスバスやデータバス等のバスライン１１０を備えている。
【００２７】
ディスプレイ１２０は、被写体の画像や操作用アイコン等を表示する液晶や有機ＥＬによって構成された表示部である。また、ディスプレイ１２０は、ケーブル１２０ｃによってディスプレイＩ／Ｆ１１７に接続される。このケーブル１２０ｃは、アナログＲＧＢ（ＶＧＡ）信号用のケーブルであってもよいし、コンポーネントビデオ用のケーブルであってもよいし、ＨＤＭＩ(High-Definition Multimedia Interface)（登録商標）やＤＶＩ(Digital Video Interface)信号用のケーブルであってもよい。
【００２８】
カメラ１１２は、レンズや、光を電荷に変換して被写体の画像（映像）を電子化する固体撮像素子を含み、固体撮像素子として、ＣＭＯＳ(Complementary Metal Oxide Semiconductor)や、ＣＣＤ（Charge Coupled Device）等が用いられる。
【００２９】
外部機器接続Ｉ／Ｆ１１８には、図３に示されている筐体１１００の接続口１１３２に差し込まれたＵＳＢ(Universal Serial Bus)ケーブル等によって、外付けカメラ、外付けマイク、及び外付けスピーカ等の外部機器がそれぞれ電気的に接続可能である。外付けカメラが接続された場合には、ＣＰＵ１０１の制御に従って、内蔵型のカメラ１１２に優先して、外付けカメラが駆動する。同じく、外付けマイクが接続された場合や、外付けスピーカが接続された場合には、ＣＰＵ１０１の制御に従って、それぞれが内蔵型のマイク１１４や内蔵型のスピーカ１１５に優先して、外付けマイクや外付けスピーカが駆動する。
【００３０】
なお、記録メディア１０６は、端末１０に対して着脱自在な構成となっている。また、ＣＰＵ１０１の制御にしたがってデータの読み出し又は書き込みを行う不揮発性メモリであれば、フラッシュメモリ１０４に限らず、ＥＥＰＲＯＭ（Electrically Erasable and Programmable ROM）等を用いてもよい。
【００３１】
図５は、一実施形態に係る外部入力装置４０、管理システム５０、又は中継装置３０のハードウェア構成図である。管理システム５０は、管理システム５０全体の動作を制御するＣＰＵ２０１、ＩＰＬ等のＣＰＵ２０１の駆動に用いられるプログラムを記憶したＲＯＭ２０２、ＣＰＵ２０１のワークエリアとして使用されるＲＡＭ２０３、管理システム５０用のプログラム等の各種データを記憶するＨＤ２０４、ＣＰＵ２０１の制御にしたがってＨＤ２０４に対する各種データの読み出し又は書き込みを制御するＨＤＤ(Hard Disk Drive)２０５、フラッシュメモリ等の記録メディア２０６に対するデータの読み出し又は書き込み（記憶）を制御するメディアドライブ２０７、カーソル、メニュー、ウィンドウ、文字、又は画像などの各種情報を表示するディスプレイ２０８、通信ネットワーク２を利用してデータ通信するためのネットワークＩ／Ｆ２０９、文字、数値、各種指示などの入力のための複数のキーを備えたキーボード２１１、各種指示の選択や実行、処理対象の選択、カーソルの移動などを行うマウス２１２、着脱可能な記録媒体の一例としてのＣＤ−ＲＯＭ(Compact Disc Read Only Memory)２１３に対する各種データの読み出し又は書き込みを制御するＣＤ−ＲＯＭドライブ２１４、及び、上記各構成要素を図５に示されているように電気的に接続するためのアドレスバスやデータバス等のバスライン２１０を備えている。
【００３２】
一方、中継装置３０、及び外部入力装置４０は、上記管理システム５０と同様のハードウェア構成を有しているため、その説明を省略する。但し、各ＨＤ２０４には、中継装置３０、及び外部入力装置４０をそれぞれ制御するためのプログラム等の各種データが記憶されている。
【００３３】
なお、端末１０、中継装置３０、外部入力装置４０、及び管理システム５０用の各プログラムは、インストール可能な形式又は実行可能な形式のファイルによって、コンピュータで読み取り可能な記録媒体（記録メディア１０６等）に記録されて流通されるようにしてもよい。また、上記記録媒体の他の例として、ＣＤ−Ｒ(Compact Disc Recordable)、ＤＶＤ(Digital Versatile Disk)、ブルーレイディスク等が挙げられる。
【００３４】
＜＜実施形態の機能構成＞＞
次に、本実施形態の機能構成について説明する。図６は、実施形態の通信システム１の一部を構成する端末１０、外部入力装置４０、及び管理システム５０の機能ブロック図である。図６では、端末１０、及び管理システム５０が、通信ネットワーク２を介してデータ通信することができるように接続されている。端末１０、及び外部入力装置４０が、データ通信することができるように接続されている。
【００３５】
＜端末の機能構成＞
端末１０は、送受信部１１、操作入力受付部１２、ログイン要求部１３、撮像部１４、音入出力部１５、表示制御部１６、レイアウト情報取得部１７、外部情報送受信部１８、及び記憶・読出処理部１９を有している。これら各部は、図４に示されている各構成要素のいずれかが、フラッシュメモリ１０４からＲＡＭ１０３上に展開された端末１０用のプログラムに従ったＣＰＵ１０１からの命令によって動作することで実現される機能又は手段である。また、端末１０は、ＲＡＭ１０３、及びフラッシュメモリ１０４によって構築される記憶部１０００を有している。
【００３６】
（レイアウト管理テーブル）
図７（Ａ）は、レイアウト管理テーブルを示す概念図である。記憶部１０００には、図７（Ａ）に示されているようなレイアウト管理テーブルによってレイアウト管理ＤＢ１００１が構築されている。このレイアウト管理テーブルでは、ディスプレイ１２０に出力する画像の種類を示す画像情報に対して、この画像を表示するときの優先度、画像を表示する位置を示す位置情報、画像の表示領域のサイズが関連付けられて管理される。優先度は、各画像を重畳して表示するときに、例えば、重ねる画像が重ねられる画像よりも優先度を示す数値が小さくなるように設定される。位置情報は、画面上の画像の位置を示す。位置情報としては、例えば、ディスプレイ１２０の画面における左上の頂点の座標を（０，０）として、画素を単位としたときの画像の左上の頂点の座標である。サイズは、表示領域の、例えば、縦、横二方向の長さによって示される。長さは、画素数で表しても良い。
【００３７】
図７（Ｂ）は、図７（Ａ）のレイアウト管理テーブルの各情報に基づいて画像をディスプレイ１２０に表示するときの表示例である。図７（Ｂ）では、レイアウト管理テーブルにおいて優先度が「２」である相手側から送られて来る撮像画像に対して、優先度が「１」である外部入力装置４０から送られて来る表示画像が重畳されている。また、レイアウト管理テーブルにおいて管理されている位置情報、及び解像度情報に基づいて、撮像画像は、ディスプレイ１２０の左上の頂点からサイズ（１９２０，１０８０）で表示される。なお、ディスプレイ１２０の解像度が（１９２０，１０８０）である場合、撮像画像はフルスクリーンで表示される。一方、表示画像は、レイアウト管理テーブルにおいて管理されている位置情報、及び解像度情報に基づいて、ディスプレイ１２０の左上の頂点からサイズ（６４０，４８０）で表示される。
【００３８】
図７（Ｃ）は、表示画像の表示領域を変更するときのディスプレイ１２０の表示例である。表示領域のサイズが変更されると、レイアウト管理テーブルにおいて管理される表示画像に対応するサイズも変更される。
【００３９】
（外部入力装置用プログラム）
記憶部１０００は、外部入力装置用プログラム１４００を記憶する。外部入力装置用プログラム１４００は、記憶部１０００にマウントした外部入力装置４０がインストール可能に管理されている。外部入力装置用プログラム１４００は、表示データ取得プログラム１４５１、表示データ送信プログラム１４５２および解像度変換プログラム１４５３を含む。これらのプログラムが外部入力装置４０に送信され、外部入力装置４０にインストールされることによって、外部入力装置４０において、表示データ取得部４５１、表示データ送信部４５２および解像度変換部４５３が実行可能となる。
【００４０】
（端末の各機能構成）
次に、図４及び図６を用いて、端末１０の各機能構成について詳細に説明する。なお、以下では、端末１０の各機能構成を説明するにあたって、図４に示されている各構成要素のうち、端末１０の各機能構成を実現させるための主な構成要素との関係も説明する。
【００４１】
端末１０の送受信部１１は、ＣＰＵ１０１からの命令、及びネットワークＩ／Ｆ１１１によって実現され、通信ネットワーク２を介して他の端末、装置又はシステムと各種データ（または情報）の送受信を行う。
【００４２】
操作入力受付部１２は、ＣＰＵ１０１からの命令、並びに操作ボタン１０８及び電源スイッチ１０９によって実現され、利用者による各種入力を受け付ける。
【００４３】
ログイン要求部１３は、ＣＰＵ１０１からの命令によって実現され、送受信部１１から通信ネットワーク２を介して管理システム５０に、ログインを要求する旨を示すログイン要求情報、及び要求元端末の現時点のＩＰアドレスを自動的に送信する。また、利用者が電源スイッチ１０９をＯＮの状態からＯＦＦにすると、送受信部１１が管理システム５０へ電源をＯＦＦする旨の状態情報を送信した後に、操作入力受付部１２が電源を完全にＯＦＦにする。これにより、管理システム５０側では、端末１０が電源オンから電源オフになったことを把握することができる。
【００４４】
撮像部１４は、ＣＰＵ１０１からの命令、並びにカメラ１１２及び撮像素子Ｉ／Ｆ１１３によって実現され、被写体を撮像して、この撮像して得た画像データを出力する。
【００４５】
音入出力部１５は、ＣＰＵ１０１からの命令、及び音入出力Ｉ／Ｆ１１６によって実現され、マイク１１４によって利用者の音が音信号に変換された後、この音信号に係る音データを入力する。また、音入出力部１５は、ＣＰＵ１０１からの命令、及び音入出力Ｉ／Ｆ１１６によって実現され、音データに係る音信号をスピーカ１１５に出力し、スピーカ１１５から音を出力させる。
【００４６】
表示制御部１６は、ＣＰＵ１０１からの命令、及びディスプレイＩ／Ｆ１１７によって実現され、受信された画像データをディスプレイ１２０に送信するための制御を行う。
【００４７】
レイアウト情報取得部１７は、ＣＰＵ１０１からの命令によって実現され、レイアウト管理テーブルにおいて管理されている表示領域のサイズ等の各種情報を取得する。
【００４８】
外部情報送受信部１８は、ＣＰＵ１０１からの命令、外部機器接続Ｉ／Ｆ１１８によって実現され、外部入力装置４０との間で各種情報を送受信する。
【００４９】
記憶・読出処理部１９は、ＣＰＵ１０１からの命令及びＳＳＤ１０５によって実現され、記憶部１０００に各種データを記憶したり、記憶部１０００に記憶された各種データを読み出す処理を行う。この記憶部１０００には、端末１０を識別するための端末ＩＤ(Identification）、及びパスワード等が記憶される。更に、記憶部１０００には、宛先端末との通信を行う際に受信される画像データ及び音データが、受信される度に上書き記憶される。このうち、上書きされる前の画像データによってディスプレイ１２０に画像が表示され、上書きされる前の音データによってスピーカ１１５から音が出力される。
【００５０】
なお、本実施形態の端末ＩＤ及び後述の中継装置ＩＤは、それぞれ端末１０及び中継装置３０を一意に識別するために使われる言語、文字、記号、又は各種のしるし等の識別情報を示す。また、端末ＩＤ及び中継装置ＩＤは、上記言語、文字、記号、及び各種のしるしのうち、少なくとも２つが組み合わされた識別情報であってもよい。端末ＩＤは、端末１０を識別可能な情報であれば良い。例えば、通信システム１において端末の識別情報とアカウントが関連付けられている場合には、端末ＩＤはアカウントであっても良い。
【００５１】
＜管理システムの機能構成＞
管理システム５０は、送受信部５１、認証部５２、及び記憶・読出処理部５９を有している。これら各部は、図５に示されている各構成要素のいずれかが、ＨＤ２０４からＲＡＭ２０３上に展開された管理システム５０用のプログラムに従ったＣＰＵ２０１からの命令によって動作することで実現される機能又は手段である。また、管理システム５０は、ＨＤ２０４により構築される記憶部５０００を有している。
【００５２】
（認証管理テーブル）
図８は、認証管理テーブルを示す概念図である。記憶部５０００には、図８に示されているような認証管理テーブルによって認証管理ＤＢ５００２が構築されている。この認証管理テーブルでは、管理システム５０によって管理される全ての端末１０の各端末ＩＤに対して、認証用のパスワードが関連付けられて管理される。例えば、図８に示されている認証管理テーブルにおいて、端末１０ａａの端末ＩＤは「０１ａａ」で、パスワードは「ａａａａ」であることが示されている。
【００５３】
（管理システムの各機能構成）
次に、管理システム５０の各機能構成について詳細に説明する。なお、以下では、管理システム５０の各機能構成を説明するにあたって、図５に示されている各構成要素のうち、管理システム５０の各機能構成を実現させるための主な構成要素との関係も説明する。
【００５４】
送受信部５１は、ＣＰＵ２０１からの命令、及びネットワークＩ／Ｆ２０９によって実現され、通信ネットワーク２を介して他の端末、装置又はシステムと各種データ（または情報）の送受信を行う。
【００５５】
認証部５２は、ＣＰＵ２０１からの命令によって実現され、送受信部５１を介して受信されたログイン要求情報に含まれている端末ＩＤ及びパスワードを検索キーとして、認証管理テーブル（図８参照）を検索し、この認証管理テーブルに同一の端末ＩＤ及びパスワードが管理されているかを判断することによって認証を行う。
【００５６】
記憶・読出処理部５９は、ＣＰＵ２０１からの命令、及びＨＤＤ２０５によって実現され、記憶部５０００に各種データを記憶したり、記憶部５０００に記憶された各種データを読み出す処理を行う。
【００５７】
＜外部入力装置の機能構成＞
外部入力装置４０は、送受信部４１、接続検出部４２、インストール判定部４３ａ、プログラム取得部４３ｂ、解像度取得部４４、表示制御部４７、マウント部４８、表示データ取得部４５１、表示データ送信部４５２、解像度変換部４５３、及び記憶・読出処理部４９を有している。これら各部は、図５に示されている各構成要素のいずれかが、ＨＤ２０４からＲＡＭ２０３上に展開された外部入力装置用のプログラムに従ったＣＰＵ２０１からの命令によって動作することで実現される機能又は手段である。また、外部入力装置４０は、ＨＤ２０４により構築される記憶部４０００を有している。
【００５８】
送受信部４１は、ＣＰＵ２０１からの命令、及びネットワークＩ／Ｆ２０９によって実現され、端末１０と各種データ（または情報）の送受信を行う。
【００５９】
接続検出部４２は、ＣＰＵ２０１からの命令、及びネットワークＩ／Ｆ２０９によって実現され、端末１０と自装置との接続を検出する。
【００６０】
インストール判定部４３ａは、ＣＰＵ２０１からの命令によって実現され、外部入力装置４０に表示データ取得プログラム１４５１、表示データ送信プログラム１４５２および解像度変換プログラム１４５３がインストールされているか否かを判定する。
【００６１】
プログラム取得部４３ｂは、ＣＰＵ２０１からの命令によって実現され、端末１０の記憶部１０００から表示データ取得プログラム１４５１、表示データ送信プログラム１４５２および解像度変換プログラム１４５３を取得する。 
【００６２】
解像度取得部４４は、ＣＰＵ２０１からの命令によって実現され、ディスプレイ２０８の解像度を取得するとともに、端末１０の表示領域の解像度を示す解像度情報を取得する。
【００６３】
表示制御部４７は、ＣＰＵ１０１からの命令、及びディスプレイＩ／Ｆ１１７によって実現され、受信された画像データをディスプレイ１２０に送信するための制御を行う。
【００６４】
マウント部４８は、ＣＰＵ１０１からの命令によって実現され、端末１０の記憶部１０００をマウントする。 
【００６５】
表示データ取得部４５１は、ＣＰＵ１０１からの命令によって実現され、外部入力装置４０のディスプレイ２０８に表示されている画像を表す表示データを取得する。
【００６６】
表示データ送信部４５２は、ＣＰＵ１０１からの命令、及びネットワークＩ／Ｆ２０９によって実現され、表示データを端末１０に送信する。
【００６７】
解像度変換部４５３は、ＣＰＵ１０１からの命令によって実現され、外部入力装置４０のディスプレイ２０８の解像度と、端末１０における画像の表示領域の解像度とに基づいて、外部入力装置４０が端末１０に送信する表示データの解像度を変換する。 
【００６８】
記憶・読出処理部４９は、ＣＰＵ２０１からの命令、及びＨＤＤ２０５によって実現され、記憶部５０００に各種データを記憶したり、記憶部５０００に記憶された各種データを読み出す処理を行う。
【００６９】
＜＜実施形態の処理または動作＞＞
まず、２つの端末（１０ａａ，１０ｄａ）の間で通信を開始する処理について説明する。図９は、端末間で通信を開始する処理を示すシーケンス図である。
【００７０】
端末１０ａａにおいて、利用者が、電源スイッチ１０９をＯＮにすると、操作入力受付部１２が電源オンを受け付けて、電源をＯＮにする（ステップＳ２１）。そして、ログイン要求部１３は、上記電源オンの受け付けを契機とし、送受信部１１から通信ネットワーク２を介して管理システム５０に、ログイン要求を示すログイン要求情報を自動的に送信する（ステップＳ２２）。このログイン要求情報には、要求元端末（端末１０ａａ）としての自端末を識別するための端末ＩＤ及びパスワードが含まれている。これら端末ＩＤ及びパスワードは、記憶・読出処理部１９を介して記憶部１０００から読み出されて、送受信部１１に送られたデータである。なお、要求元端末（端末１０ａａ）から管理システム５０へログイン要求情報が送信される際は、受信側である管理システム５０は、送信側である要求元端末（端末１０ａａ）のＩＰアドレスを把握することができる。
【００７１】
次に、管理システム５０の認証部５２は、送受信部５１を介して受信したログイン要求情報に含まれている端末ＩＤ及びパスワードを検索キーとして、認証管理テーブル（図８参照）を検索し、認証管理テーブルに同一の端末ＩＤ及びパスワードが管理されているかを判断することによって認証を行う（ステップＳ２３）。
【００７２】
そして、管理システム５０の送受信部５１は、認証部５２によって得られた認証結果が示された認証結果情報を、通信ネットワーク２を介して、上記ログイン要求してきた要求元端末（端末１０ａａ）に送信する（ステップＳ２５）。本実施形態では、認証部５２によって正当な利用権限を有する端末１０であると判断された場合につき、以下続けて説明する。また、端末１０ｄａもステップＳ２１乃至Ｓ２５と同様の処理により、管理システム５０へログインした場合について説明する。
【００７３】
端末１０ａａの利用者が、操作ボタン１０８を押下して、宛先候補である端末１０ｄａを選択すると、操作入力受付部１２は、端末１０ｄａとの通信を開始する要求を受け付ける（ステップＳ４１）。そして、端末１０ａａの送受信部１１は、通信を開始したい旨を示す開始要求情報を、管理システム５０へ送信する（ステップＳ４２）。なお、この開始要求情報には、要求元端末（端末１０ａａ）の端末ＩＤ「０１ａａ」、及び宛先端末（端末１０ｄａ）の端末ＩＤ「０１ｄａ」が含まれる。
【００７４】
管理システム５０の送受信部５１は、開始要求情報を受信すると受信した開始要求情報を宛先端末（端末１０ｄａ）へ送信する（ステップＳ４３）。また、管理システム５０の送受信部５１は、中継装置３０と接続するための中継装置接続情報を宛先端末（端末１０ｄａ）へ送信する。中継装置接続情報には、中継装置３０のＩＰアドレス、パスワード、ポート番号等が含まれている。
【００７５】
宛先端末（端末１０ｄａ）の送受信部１１は、開始要求情報を受信すると、この開始要求に対して開始を許可する旨の開始許可情報を管理システム５０へ送信する（ステップＳ４４）。管理システム５０の送受信部５１は、開始許可情報を受信すると、受信した開始許可情報を要求元端末（端末１０ａａ）へ送信する（ステップＳ４５）。また、管理システム５０の送受信部５１は、中継装置３０と接続するための中継装置接続情報を要求元端末（端末１０ａａ）へ送信する。
【００７６】
管理システム５０の送受信部５１は、中継装置３０へ、要求元端末（端末１０ａａ）と宛先端末（端末１０ｄａ）との間で、一方の端末（端末１０ａａ，１０ｄａ）から送られてくるコンテンツデータを他方の端末（端末１０ｄａ，１０ａａ）へ送信する要求を示す中継要求情報を送信する。要求元端末（端末１０ａａ）及び宛先端末（端末１０ｄａ）の各送受信部５１は、管理システム５０から送られてきた中継装置接続情報を中継装置３０へ送信する。これにより、要求元端末（端末１０ａａ）及び宛先端末（端末１０ｄａ）は中継装置３０と接続して、中継装置３０との間でコンテンツデータ用のセッションｓｅｄを確立する（ステップＳ４７）。要求元端末（端末１０ａａ）及び宛先端末（端末１０ｄａ）の各送受信部５１は、確立されたコンテンツデータ用のセッションｓｅｄを用いて、画像データ及び音データを中継装置３０へ送信すると共に、中継装置から送られてくる画像データ及び音データを受信する。これにより、要求元端末（端末１０ａａ）及び宛先端末（端末１０ｄａ）は、画像データ及び音データを相互に交換することができる。
【００７７】
図１０は、外部入力装置においてプログラムをインストールする処理を示したシーケンス図である。図１０を用いて、外部入力装置４０において、表示データ取得プログラム１４５１、表示データ送信プログラム１４５２、および解像度変換プログラム１４５３をインストールする処理を説明する。通信ケーブル等によって、外部入力装置４０と端末１０ａａとが接続されると、外部入力装置４０の接続検出部４２は、端末１０ａａとの接続を検出する（ステップＳ７０）。接続検出部４２が、接続を検出すると、インストール判定部４３ａは、外部入力装置４０に表示データ取得プログラム１４５１、表示データ送信プログラム１４５２、および解像度変換プログラム１４５３がインストールされているか否かを判定する（ステップＳ７１）。
【００７８】
インストール判定部４３ａによって、各ブログラムのいずれかがインストールされていないと判定された場合には、マウント部４８が、端末１０ａａの記憶部１０００をマウントする（ステップＳ７２）。次いで、プログラム取得部４３ｂが、端末１０ａａの記憶部１０００に記憶されている表示データ取得プログラム１４５１、表示データ送信プログラム１４５２および解像度変換プログラム１４５３のうち、外部入力装置４０にインストールされていないプログラムを取得し、インストールする（ステップＳ７３）。これによって、外部入力装置４０は、表示データ取得部４５１、表示データ送信部４５２および解像度変換部４５３を備えることになる。
【００７９】
各プログラムがインストールされると、送受信部４１は、各プログラムを実行する許可、すなわち、表示データ取得部４５１、表示データ送信部４５２および解像度変換部４５３を動作させる許可を要求するための情報を端末１０ａａに送信する（ステップＳ７４）。そして、端末１０ａａから要求に対する許可を表す情報を送受信部４１が受信することで、表示データ取得部４５１、表示データ送信部４５２および解像度変換部４５３は稼働する。
【００８０】
図１１は、表示データの解像度を変換する処理を示したシーケンス図である。図１１を用いて、外部入力装置４０が端末１０に送信する表示データの解像度を変換する処理について説明する。
【００８１】
まず、外部入力装置４０の送受信部４１は、端末１０ａａへ、表示画像の表示領域の解像度を示す解像度情報の要求を送信する（ステップＳ９１）。なお、本実施形態において解像度は画像の密度（ｄｐｉ）ではなくて、画素数である。端末１０ａａの外部情報送受信部１８が解像度情報の要求を受信すると、レイアウト情報取得部１７は、レイアウト管理テーブルにおいて管理されている表示画像に対応するサイズを取得する（ステップＳ９２）。以下、ステップＳ９２において、デフォルトのサイズとして（６４０，４８０）が取得された場合について説明を続ける。レイアウト情報取得部１７がサイズを取得すると、外部情報送受信部１８は、取得されたサイズに対応する解像度を示す解像度情報を外部入力装置４０へ送信する（ステップＳ９３）。サイズに対応する解像度は、サイズと同じ値（６４０，４８０）であっても良いが、例えば、サイズに１以外の正の定数を乗じた値のように、サイズが大きくなるにつれて大きくなる任意の値であっても良い。
【００８２】
外部入力装置４０の送受信部４１は、端末１０ａａから送られてきた解像度情報を受信する。続いて、外部入力装置４０の記憶・読出処理部４９が、その受信された解像度情報を記憶部４０００に記憶する（ステップＳ９４）。
【００８３】
続いて、外部入力装置４０の表示データ取得部４５１は、表示制御部４７がディスプレイ２０８に表示させている画像をキャプチャすることで表示データを取得する（ステップＳ９５）。表示データは、キャプチャされた段階で、ディスプレイ２０８の解像度と同じ解像度となる。一実施形態において、ディスプレイ２０８の解像度は、例えば、（１２８０，９６０）である。
【００８４】
解像度取得部４４は、ディスプレイ２０８にアクセスしてディスプレイ２０８の解像度を取得するとともに、記憶部４０００に記憶されている解像度情報を取得する（ステップＳ９６）。そして、解像度変換部４５３が、取得された表示データの解像度を、記憶部４０００から取得された解像度情報によって示される解像度に変換する（ステップＳ９７）。例えば、解像度変換部４５３は、解像度（１２８０，９６０）の表示データを解像度情報によって示される解像度（６４０，４８０）に変換する。解像度変換部４５３は、表示データで示される表示画像のアスペクト比と、端末１０ａａにおける表示領域のアスペクト比と異なる場合、表示画像の縦又は横の一方を、解像度情報によって示される解像度（６４０又は４８０）に変換する。
【００８５】
ここで、ステップＳ９７の処理について詳細について説明する。図１２は、解像度変換処理を示すフロー図である。以下、外部入力装置４０のディスプレイ２０８の解像度のうち、縦方向（高さ（Ｈ）方向）の解像度を「Ｈ４０」とし、横方向（幅（Ｗ）方向）の解像度を「Ｗ４０」とする。端末１０ａａにおける表示領域の解像度を示す解像度情報のうち、縦方向の解像度を「Ｈ１０」とし、横方向の解像度を「Ｗ１０」とする。解像度変換部４５３は、これらの解像度Ｈ４０、Ｗ４０、Ｈ１０およびＷ１０に基づいて、以下に説明するように表示データの縦方向の解像度を「Ｈ´」に、表示データの横方向の解像度を「Ｗ´」に変換する。
【００８６】
まず、解像度変換部４５３は、Ｈ４０≦Ｈ１０、かつＷ４０≦Ｗ１０であるか否かを判定する（ステップＳ９７１）。Ｈ４０≦Ｈ１０、かつＷ４０≦Ｗ１０であると判定された場合（ステップＳ９７１でＹＥＳの場合）には、解像度変換部４５３は、表示データの縦方向の解像度Ｈ´および横方向の解像度Ｗ´を、それぞれＨ´＝Ｈ４０、Ｗ´＝Ｗ４０とし、解像度を変換しない（ステップＳ９７２）。
【００８７】
一方、Ｈ４０≦Ｈ１０、かつＷ４０≦Ｗ１０でないと判定された場合（ステップＳ９７１でＮＯの場合）には、解像度変換部４５３は、（Ｈ１０≧Ｗ１０）であるか否かを判定する（ステップＳ９７３）。
【００８８】
（Ｈ１０≧Ｗ１０）であると判定された場合（ステップＳ９７３でＹＥＳの場合）には、解像度変換部４５３は、表示データの横方向の解像度Ｗ´および縦方向の解像度Ｈ´を、それぞれＷ´＝Ｗ１０、Ｈ´＝Ｈ４０×Ｗ１０／Ｗ４０に変換する（ステップＳ９７４）。ここで、Ｗ１０／Ｗ４０は圧縮率を表している。この場合、Ｗ´：Ｈ´のアスペクト比は、Ｗ１０：Ｈ４０×Ｗ１０／Ｗ４０＝Ｗ４０：Ｈ４０である。すなわち、この変換はアスペクト比を変えずに横方向を、Ｗ１０に合わせる変換である。
【００８９】
一方、（Ｈ１０≧Ｗ１０）でないと判定された場合（ステップＳ９７３でＮＯの場合）には、解像度変換部４５３は、表示データの横方向の解像度Ｗ´および縦方向の解像度Ｈ´を、それぞれＷ´＝Ｗ４０×Ｈ１０／Ｈ４０、Ｈ´＝Ｈ１０に変換する。（ステップＳ９７５）。ここで、Ｈ１０／Ｈ４０は圧縮率を表している。この場合、Ｗ´：Ｈ´のアスペクト比は、Ｗ４０×Ｈ１０／Ｈ４０：Ｈ１０＝Ｗ４０：Ｈ４０である。すなわち、この変換はアスペクト比を変えずに縦方向を、Ｈ１０に合わせる変換である。
【００９０】
解像度変換部４５３によって表示データの解像度が変換されると、表示データ送信部４５２が、変換された表示データを端末１０ａａに送信する（ステップＳ９８）。なお、外部入力装置４０の表示データ送信部４５２は、表示データを所定の符号化方式により符号化し、圧縮してから、符号化された表示データを端末１０ａａへ送信しても良い。
【００９１】
端末１０ａａの外部情報送受信部１８は、外部入力装置４０から送信された表示データを受信する。なお、表示データが、符号化されている場合、外部情報送受信部１８は符号化された表示データを復号化する。続いて、表示制御部１６は、受信された表示データをレンダリングすることで（ステップＳ９９）、解像度情報によって示される解像度の表示画像を得る。また、表示制御部１６は、レイアウト管理テーブルにおいて、表示画像に対応づけて管理されているサイズにリサイズする（ステップＳ１００）。表示制御部１６は、得られた表示画像を、レイアウト管理テーブルにおいて管理されている位置情報により示される位置に表示させる（ステップＳ１０１）。なお、ステップＳ９７４または、ステップＳ９７５において表示画像の変換がされた場合、表示制御部１６は、表示画像を表示領域の中央に表示させても良い。この場合、表示領域の上下又は左右は余白となる。また、表示制御部１６は、レイアウト管理テーブルにおいて管理されている優先度に基づいて、撮像画像に重畳して表示画像を表示させても良い（図７（Ｂ）参照）。撮像画像は、例えば、自端末のカメラ１１２により撮像された撮像画像、或いはコンテンツデータ用の通信セッションｓｅｄにより送られてきた端末１０ｄａ側の撮像画像である。
【００９２】
端末１０ａａの送受信部１１は、ディスプレイ１２０に表示されている表示画像に対応する表示データを取得して、取得した表示画像を所定の符号化方式により圧縮し、送信用の表示データを生成する（ステップＳ１０２）。所定の符号化方式は、少なくとも、コンテンツデータ用の通信セッションｓｅｄにおける通信方式に対応した符号化方式である。
【００９３】
端末１０ａａの送受信部１１は、中継装置３０に対して、コンテンツデータ用のセッションｓｅｄにより送信用に生成された表示データを送信する（ステップＳ１０３）。また、ステップＳ１０３において、端末１０ａａの送受信部１１は、自端末のカメラ１１２で撮像された撮像画像の画像データ、及びマイク１１４で集音された音の音データを、コンテンツデータ用のセッションｓｅｄにより中継装置３０へ送信する。中継装置３０が、端末１０ａａから送信された表示データ、画像データ、及び音データを受信すると、コンテンツデータ用のセッションｓｅｄにより宛先の端末１０ｄａへ、表示データ、画像データ、及び音データを送信する（ステップＳ１０４）。端末１０ｄａの送受信部１１は、中継装置３０から送信された表示データ、画像データ、及び音データが受信する。また、送受信部１１は、表示データを復号化する。端末１０ｄａの表示制御部１６は、復号化された表示データによって表される画像をディスプレイ１２０に表示させる（ステップＳ１０５）。また、端末１０ｄａの表示制御部１６は、受信した画像データに基づいて端末１０ａａ側の撮像画像をディスプレイ１２０に表示させる。
【００９４】
続いて図１３を用いて表示画像の表示領域を変更する処理について説明する。図１３は、表示領域を変更する処理を示したシーケンス図である。
【００９５】
端末１０ａａの操作入力受付部１２は、例えば、ユーザによるディスプレイ１２０の画面上のポインタの操作に応じて（図７（Ｃ）参照）、表示領域のサイズの変更を受け付ける（ステップＳ１２１）。以下、例えば、表示領域のサイズを、（６４０，４８０）から倍の（１２８０，９６０）に変更する要求が受け付けられた場合について説明を続ける。
【００９６】
端末１０の記憶・読出処理部１９は、レイアウト管理テーブルにおいて、表示画像に対応付けられているサイズを（６４０，４８０）から（１２８０，９６０）に更新する（ステップＳ１２２）。
【００９７】
レイアウト管理テーブルの更新後に、端末１０ａａの、レイアウト情報取得部１７は、レイアウト管理テーブルにおいて管理されている表示画像に対応するサイズ（１２８０，９６０）を取得する（ステップＳ１２３）。レイアウト情報取得部１７がサイズを取得すると、外部情報送受信部１８が、その取得されたサイズに対応する解像度情報を外部入力装置４０に送信する（ステップＳ１２４）。上記のとおり、サイズに対応する解像度とは、サイズと同じ値（１２８０，９６０）、または、サイズが大きくなるにつれて大きくなる任意の値であっても良い。これにより、送信される解像度情報の値は、表示領域のサイズに応じて大きくなる。
【００９８】
解像度情報が外部入力装置４０に送信されてからの処理は、ステップＳ９４乃至Ｓ１０５の処理と同様であるので説明を省略する。但し、ステップＳ１２４において、ステップＳ９３で送信したものよりも大きな値の解像度情報を送信することで、少なくとも表示領域の解像度（Ｗ１０，Ｈ１０）がディスプレイ２０８の解像度（Ｗ４０，Ｈ４０）よりも大きくなるまでは（ステップＳ９２７参照）、外部入力装置４０から端末１０へ送られてくる表示データの解像度も大きくなる。これにより、端末１０ａａでは、表示データの表示領域のサイズを大きくしても、送られてくる表示データの解像度が大きくなるので、変更の前後で画像の密度の変化による違和感が軽減される。また、端末１０が指定されたサイズに対応する解像度情報を外部入力装置４０へ送信することで、外部入力装置４０に、指定されたサイズに対応する解像度の画像データを生成させ、送信させることができる。これにより、端末１０側で、画像が見切れたりはみ出したりしないように画像の表示を制御できる。
【００９９】
＜＜＜実施形態の変形例＞＞＞
表示画像のサイズは、端末１０ａａ及び外部入力装置４０が接続する段階で、端末１０ａａのレイアウト管理テーブルにおいて管理されていなくても良い。例えば、外部入力装置４０は、端末１０と接続して、ステップＳ９１において端末１０へ解像度情報を要求するときに、外部入力装置４０側のディスプレイ２０８の解像度を端末１０へ送信する。端末１０の外部情報送受信部１８が解像度を受信すると、記憶・読出処理部１９は、外部入力装置４０から送られてきたディスプレイ２０８の解像度に対応するサイズを表示画像に対応するサイズとしてレイアウト管理テーブルに登録する。変形例によると、表示領域のアスペクト比とディスプレイ２０８のアスペクト比が同じになるので、表示領域において、表示画像の上下や左右に余白が生じることを防ぐことができる。
【０１００】
この場合、ステップＳ１２１において、操作入力受付部１２は、レイアウト管理テーブルにおいて管理される表示領域のサイズから特定されるアスペクト比が変わらないように、サイズの変更を受け付けても良い。これにより、表示領域のサイズが変更された場合でも、表示画像の上下や左右に余白が生じることを防ぐことができる。
【０１０１】
＜＜本実施形態の主な効果＞＞
以上、説明したように上記の実施形態の表示制御方法によると、端末１０（表示制御装置の一例）の操作入力受付部１２（受付手段の一例）は、画面に画像を表示するときの画像の表示領域の指定を受け付ける（受付処理の一例）。端末１０の外部情報送受信部１８（送信手段の一例）は、指定された表示領域のサイズに対応する解像度を示す解像度情報を外部入力装置４０（情報処理装置の一例）へ送信する（送信処理の一例）。端末１０の外部情報送受信部１８（取得手段の一例）は、外部入力装置４０において生成され、解像度情報によって示される解像度の表示画像の表示データ（画像データの一例）を受信することで取得する（取得処理の一例）。端末１０の表示制御部１６（表示制御手段の一例）は、取得された表示データに基づいて、指定された表示領域に画像を表示する制御を行う（表示制御処理の一例）。これにより、外部入力装置４０から取得した画像を端末１０側で画面の指定された領域に表示する場合に、取得した画像の解像度によって、表示される画像が指定された領域からはみ出したり、見切れたりする等して、適切に表示制御できなくなることを防ぐことができる。また、表示画像の表示領域のサイズが変更された場合でも、端末１０は、変更されたサイズに対応する解像度の表示データを表示できるので、画像の表示領域のサイズ変更に伴う視認性の低下を軽減することが可能となる。
【０１０２】
端末１０の記憶部１０００（管理手段の一例）は、外部入力装置４０に、解像度情報によって示される解像度の画像データを生成する処理を実行させる解像度変換プログラム１４５３を、外部入力装置４０がインストール可能に管理する。これにより、種々の情報処理装置を、外部入力装置４０として用いることが可能となる。
【０１０３】
上記の表示データは、外部入力装置４０においてディスプレイ２０８に表示制御される表示画像の画像データである。上記の実施形態の変形例において、外部入力装置４０から送られてくる表示画像のアスペクト比を示す情報に基づいて、操作入力受付部１２は、表示画像のアスペクト比と同じアスペクト比の表示領域の指定を受け付ける。これにより、端末１０は、表示領域に余白を生じさせることなく、表示画像を表示することができる。
【０１０４】
端末１０の送受信部１１は、解像度情報によって示される解像度の画像データを、通信ネットワーク２を介して他の通信端末へ送信する。これにより、端末１０において、表示画像の表示領域のサイズが変更された場合でも、通信相手側でも、変更されたサイズに対応する解像度の表示データを表示できるようになる。
【０１０５】
通信システム１において、端末１０間では、表示データ、及び、端末１０において撮像される撮像画像に係る他の画像データを送信可能である。この場合、端末１０では、表示される画像の優先度に基づいて、画像の表示領域を設定できるようになる。
【０１０６】
外部入力装置４０のインストール判定部４３ａ（判断部の一例）は、自装置に解像度変換プログラム１４５３がインストールされているか判断する。インストール判定部４３ａによる解像度変換プログラム１４５３がインストールされていない旨の判断に応じて、送受信部４１（要求手段の一例）は、端末１０へ解像度変換プログラム１４５３を要求する。これにより、外部入力装置４０が解像度変換プログラム１４５３をインストールすることで、外部入力装置４０に解像度変換処理を実行させることが可能となる。
【０１０７】
＜＜実施形態の補足＞＞
上記実施形態における端末１０、中継装置３０、外部入力装置４０、管理システム５０単一のコンピュータによって構築されてもよいし、各部（機能又は手段）を分割して任意に割り当てられた複数のコンピュータによって構築されていてもよい。
【０１０８】
また、上記実施形態の各プログラムが記憶されたＣＤ−ＲＯＭ等の記録媒体、並びに、これらプログラムが記憶されたＨＤ２０４は、いずれもプログラム製品(Program Product)として、国内又は国外へ提供されることができる。
【０１０９】
更に、上記実施形態では、端末１０のＩＰアドレスを管理することとしたが、これに限るものではなく、通信ネットワーク２上で端末１０を特定するための宛先情報であれば、それぞれのＦＱＤＮ(Fully Qualified Domain Name)を管理してもよい。この場合、周知のＤＮＳ(Domain Name System)サーバによって、ＦＱＤＮに対応するＩＰアドレスが取得されることになる。
【０１１０】
また、上記実施形態では、通信システム１の一例として、テレビ会議システムの場合について説明したが、これに限るものではなく、ＩＰ(Internet Protocol)電話や、インターネット電話等の電話システムであってもよい。また、通信システム１は、携帯電話機の通信システムであってもよい。この場合、例えば、端末１０は携帯電話機に相当する。
【０１１１】
上記実施形態において、外部入力装置４０は汎用のコンピュータである場合について説明したが、これに限定されない。他の外部入力装置４０として、外部入力装置用プログラム１４００をインストール可能な、携帯電話端末、タブレット、テレビ会議端末、インタラクティブホワイトボード等の各種の情報処理装置が例示される。
【０１１２】
また、上記実施形態では、通信システム１によってテレビ会議をする場合について説明したが、これに限るものではなく、打ち合わせ、家族間や友人間等の一般的な会話、又は、一方向での情報の提示に使用されても構わない。
【符号の説明】
【０１１３】
１  通信システム
２  通信ネットワーク
１０  端末
１１  送受信部
１２  操作入力受付部
１３  ログイン要求部
１４  撮像部
１５  音入出力部
１６  表示制御部
１７  レイアウト情報取得部
１８  外部情報送受信部
１９  記憶・読出処理部
３０  中継装置
４０  外部入力装置
４１  送受信部
４２  接続検出部
４３ａ  インストール判定部
４３ｂ  プログラム取得部
４４  解像度取得部
４７  表示制御部
４８  マウント部
４９  記憶・読出処理部
５０  管理システム
５１  送受信部
５２  認証部
５９  記憶・読出処理部
１０００  記憶部
１００１  レイアウト管理ＤＢ
１４００  外部入力装置用プログラム
１４５１  表示データ取得プログラム
１４５２  表示データ送信プログラム
１４５３  解像度変換プログラム
４０００  記憶部
５０００  記憶部
【先行技術文献】
【特許文献】
【０１１４】
【特許文献１】特開２０１４−３４４８号公報
【図１】
2018156089.tif 000003
【図２】
2018156089.tif 000004
【図３】
2018156089.tif 000005
【図４】
2018156089.tif 000006
【図５】
2018156089.tif 000007
【図６】
2018156089.tif 000008
【図７】
2018156089.tif 000009
【図８】
2018156089.tif 000010
【図９】
2018156089.tif 000011
【図１０】
2018156089.tif 000012
【図１１】
2018156089.tif 000013
【図１２】
2018156089.tif 000014
【図１３】
2018156089.tif 000015